(57)【特許請求の範囲】
【請求項１】
被加熱物を収納して加熱調理する加熱室と、被加熱物を出し入れするために前記加熱室の開口部に開閉自在に取付けられた扉と、この扉を開閉するための開閉レバーと、調理時間を表示する表示部を有する制御基板と、前記制御基板が固定され前記開閉レバーを保持する保持部を成型した操作パネルとを備え、前記操作パネルは、前記操作パネルの前記保持部の近傍に設けられ前記開閉レバーの側方への移動を規制する側方規制突起を有し、前記開閉レバーは、前記保持部に設けられた穴に挿入する軸部と、前記軸部の近傍に形成した張り出し部と、位置規制突起とを備え、前記開閉レバーは、前記張り出し部が前記側方規制突起と前記保持部の間の空間に進入し、張り出し部が側方規制突起に当たることで開閉レバーの軸部が保持部から抜け出るのを防止し、かつ、前記開閉レバー上面の位置規制突起が前記制御基板に当たることで回転方向の移動を規制され、前記開閉レバーが前記操作パネルからはずれないようにした高周波加熱装置。
【発明の詳細な説明】
【０００１】
【発明の属する技術分野】
本発明は、高周波加熱装置の開閉機構に関するものである。
【０００２】
【従来の技術】
従来、開閉レバーを用いて扉を開閉する構成の高周波加熱装置において、開閉レバーの組立が容易でかつ組立後にずれにくい構成のものとしては特開平８−１４５７７号公報に記載されているものがあった。
【０００３】
この構成は図５に示されているように、操作パネル１の裏面に開閉レバー２の側方への移動を規制する逆Ｌ字形状の側方規制突起３、上方への移動を規制する弾性変形可能な上方規制突起４を設け、開閉レバー２の軸部２ａの近傍の張り出し部２ｂと接することで、開閉レバー２の操作パネル１からのはずれを防ぐ構成となっていた。
【０００４】
【発明が解決しようとする課題】
しかしながら、上記従来の構成では、開閉レバー２を操作パネル１に固定する場合、開閉レバーの軸部で上方規制突起４を弾性変形させながら、開閉レバーの軸部２ａを保持部５に挿入しなくてはならず、したがって挿入作業が困難であるばかりか、無理に力を加えて挿入した時に上方規制突起４が破損してしまうという課題を有していた。
【０００５】
【課題を解決するための手段】
本発明は上記課題を解決するために、被加熱物を収納して加熱調理する加熱室と、被加熱物を出し入れするために前記加熱室の開口部に開閉自在に取り付けられた扉と、この扉を開閉するための開閉レバーと、調理時間を表示する表示部を有した制御基板と、裏面に前記開閉レバーを保持する保持部を成型した操作パネルを備え、前記操作パネルの保持部の近傍に開閉レバーの側方への移動を規制する側方規制突起を設け、開閉レバーの軸部の近傍に張り出し部を設け、操作パネルの側方規制突起と干渉することで左右方向の位置を規制するとともに、開閉レバーの上面に設けた突起部と制御基板との干渉により、回転方向への規制を行うものである。
【０００６】
上記発明によれば、容易に開閉レバーの操作パネルへの取付が可能になり、組立後の開閉レバーのはずれを防ぐことができる。
【０００７】
【発明の実施の形態】
本発明は、被加熱物を収納して加熱調理する加熱室と、被加熱物を出し入れするために前記加熱室の開口部に開閉自在に取付けられた扉と、この扉を開閉するための開閉レバーと、調理時間を表示する表示部を有する制御基板と、前記制御基板が固定され前記開閉レバーを保持する保持部を成型した操作パネルとを備え、前記操作パネルは、前記操作パネルの前記保持部の近傍に設けられ前記開閉レバーの側方への移動を規制する側方規制突起を有し、前記開閉レバーは、前記保持部に設けられた穴に挿入する軸部と、前記軸部の近傍に形成した張り出し部と、位置規制突起とを備え、前記開閉レバーは、前記張り出し部が前記側方規制突起と前記保持部の間の空間に進入し、張り出し部が側方規制突起に当たることで開閉レバーの軸部が保持部から抜け出るのを防止し、かつ、前記開閉レバー上面の位置規制突起が前記制御基板に当たることで回転方向の移動を規制され、前記開閉レバーが前記操作パネルからはずれないようにしたものである。
【０００８】
そして、容易に開閉レバーの操作パネルへの取付が可能になり、組立後の開閉レバーのはずれを防ぐことができる。
【０００９】
【実施例】
以下、本発明の実施例について図面を参照して説明する。
【００１０】
（実施例１）
図１は本発明の実施例１の高周波加熱装置を示す外観斜視図である。
【００１１】
図２は同装置の開閉機構を示す要部外観斜視図である。
【００１２】
図１において、被加熱物を収納する加熱室１５の前面には開口部１６が設けられており、その開口部と接し加熱室をふさぐための扉１７が加熱室前面に開閉自在に取付けられている。また、扉の横には制御基板１１と開閉レバー９を備えた操作パネル６が固定されている。
【００１３】
図２において、操作パネル６の裏面には保持部７と逆Ｌ字形状の側方規制突起８が成型により構成されている。保持部７に設けられた穴に開閉レバーの軸部９ａを挿入することで、開閉レバー９は操作パネル６の裏面に保持部７の穴を中心に回転自在に固定され、その回転の力が加熱室前面に固定された扉に伝えられ、扉の開閉動作を行う。
【００１４】
図３は開閉レバー取付け時における要部断面図、図４は開閉レバー押し上げ時における要部断面図である。
【００１５】
図３において、操作パネル６の裏面に取り付けられた開閉レバー９は、張り出し部９ｂが側方規制突起８と保持部７の間の空間に進入し、張り出し部９ｂが側方規制突起８に当たることで開閉レバーの軸部９ａが保持部７から抜け出るのを防止している。
【００１６】
図４において、開閉ボタン１０を押し込むことで開閉レバー９に軸部９ａを中心とした回転方向の力が与えられ、扉を開ける動作を行う。その場合開閉レバー上面の位置規制突起９ｃが調理時間等を表示する表示部１３と、調理時間や動作を入力する操作スイッチ１４と、高周波加熱装置の動作を制御するリレー１２等を備えた制御基板１１に当たることで回転方向の移動を規制し、張り出し部９ｂが側方規制突起８に干渉しているので、開閉レバー９は操作パネル６からはずれることがない。
【００１７】
なお、開閉レバー９を操作パネル６に取り付ける場合、または取り外す場合は、制御基板１１が固定されていない状態であれば開閉レバー９の回転方向への規制が無くなるので、張り出し部９ｂと側方規制突起８が干渉しない位置で容易に取り付け、取り外しが可能となる。
【００１８】
また本実施例では、複数の制御基板で構成しているが、開閉レバーの張り出し部の形状と制御基板の固定位置を変えることで、単数の制御基板で構成することもできる。
【００１９】
【発明の効果】
以上の説明から明らかのように本発明によれば、次の効果が得られる。
【００２０】
被加熱物を収納して加熱調理する加熱室と、被加熱物を出し入れするために加熱室開口部に開閉自在に取り付けられた扉と、扉を開閉するための開閉レバーと、調理時間を表示する表示部を有した制御基板と、開閉レバーを保持する保持部を成型した操作パネルとを備え、前記操作パネルの裏側の保持部の近傍に開閉レバーの張り出し部と接し側方への移動を規制する突起を設け、開閉レバー上面の位置規制突起が制御基板と接触し回転方向の動作を規制することにより、開閉レバーを保持部に挿入するときの作業が容易で開閉レバーのはずれを防止すると共に、安定した開閉レバーの動作を行うことができるという効果を有する。
【図面の簡単な説明】
【図１】本発明の実施例１における高周波加熱装置の外観斜視図
【図２】同装置における開閉機構を示す要部外観斜視図
【図３】同装置の開閉レバー取付時における要部断面図
【図４】同装置の開閉レバー押し上げ時における要部断面図
【図５】従来の高周波加熱装置の開閉機構を示す要部外観斜視図
【符号の説明】
６  操作パネル
７  保持部
８  側方規制突起
９  開閉レバー
９ａ  軸部
９ｂ  張り出し部
９ｃ  位置規制突起
１１  制御基板
１３  表示部
１４  操作スイッチ
１５  加熱室
１６  開口部
１７  扉
【図１】
0003573002.tif 000002
【図２】
0003573002.tif 000003
【図３】
0003573002.tif 000004
【図４】
0003573002.tif 000005
【図５】
0003573002.tif 000006